(57)【要約】【課題】セル型フィルタの装着手段が簡単な構成で、しかもセル型フィルタの交換に作業者に大きな負担をかけることなく、容易に交換作業が実施できるエアフィルタを提供すること。【解決手段】ボックス状枠体１１内に複数個のセル型フィルタ１３をジグザグ状に収納・配置し、該セル型フィルタ１３をフィルタ固定機構２０で固定した構造のエアフィルタであって、フィルタ固定機構２０は、ボックス状枠体１１にスライド自在に装着されたフィルタ固定金具２１と、該フィルタ固定金具２１をボックス状枠体１１内の所定の位置に収納・配置されたセル型フィルタ１３に当接させた状態で該ボックス状枠体１１に固定するネジ２５を具備する。【選択図】　　　図２
2004089772.tif 000002
【特許請求の範囲】
【請求項１】
ボックス状の枠体内に複数個のセル型フィルタをジグザグ状に収納・配置し、該セル型フィルタをフィルタ固定手段で固定した構造のエアフィルタであって、
前記フィルタ固定手段は、前記枠体にスライド自在に装着されたフィルタ固定部材と、該フィルタ固定部材を前記枠体内の所定の位置に収納・配置された前記セル型フィルタに当接させた状態で該枠体に固定するフィルタ固定部材固定手段を具備することを特徴とするエアフィルタ。
【請求項２】
請求項１に記載のエアフィルタにおいて、
前記フィルタ固定部材固定手段は、ネジを具備し、該ネジを締め付けて前記フィルタ固定部材を前記枠体に固定する構成であることを特徴とするエアフィルタ。
【請求項３】
ボックス状の枠体内に複数個のセル型フィルタをジグザグ状に収納・配置し、該セル型フィルタをフィルタ固定手段で固定した構造のエアフィルタであって、
前記フィルタ固定手段は、弾性体からなり前記枠体に装着され該枠体内の所定の位置に収納・配置された前記セル型フィルタに弾性力で当接して該セル型フィルタを固定するフィルタ固定部材と、該フィルタ固定部材を該セル型フィルタから離脱させた状態で所定の位置に保持するフィルタ固定部材保持手段を具備することを特徴とするエアフィルタ。
【請求項４】
請求項３に記載のエアフィルタにおいて、
前記フィルタ固定部材は、磁性体からなるバネ材からなり、前記フィルタ固定部材保持手段は磁気吸引力で前記フィルタ固定部材を保持するマグネットキャッチであることを特徴とするエアフィルタ。
【発明の詳細な説明】
【０００１】
【発明の属する技術分野】
本発明はビル、工場等に設置された空気調和装置等に使用されるエアフィルタに関し、特にボックス状の枠体内に複数個のセル型フィルタをジグザグ状に収納・配置した構造のエアフィルタに関するものである。
【０００２】
【従来の技術】
上記空気調和装置等において、大容量の空気を処理する用途にボックス状の枠体の内にジグザク状にセル型フィルタを収納・配置した構造のエアフィルタが使用されることがある。
【０００３】
上記のようにエアフィルタにセル型構造を採用する理由は圧力損失の低下によるランニングコストの低減と、濾材を交換型にしてボックス状の枠体をそのまま使用するためである。圧力損失低下のためには単位濾材面積当りの風量を低下させることが重要であり、このためセル型フィルタをジグザグ状に配置することは大きなメリットとなる。また、セル型フィルタを交換可能とすることにより、ボックス本体をそのまま使用し、セル型フィルタのみを交換することで、ランニングコストを低下させることが可能となる。
【０００４】
上記のようにボックス状の枠体内にセル型フィルタを収納・配置してなるエアフィルタにおいては、セル型フィルタの交換作業が必要となる。この交換作業は、通常、空気調和機、外調機の中に作業員が入って行う。ボックス状の枠体は、縦横に並んでおり、作業員がそれぞれのボックス状の枠体についてセル型フィルタを外し、新しいセル型フィルタを装着する作業を行う。ボックス状の枠体の位置によっては高所になったり、足場が悪い等、作業環境は必ずしも良い状態でないのが普通である。このような状況下で、セル型フィルタの交換は作業員に対して多くの負担を与えていた。
【０００５】
図１はこの種のセル型フィルタを用いるエアフィルタの構成例を示す図である。図示するように、エアフィルタ１０は、ボックス状枠体１１を具備し、該ボックス状枠体１１の天井面及び底面に空気流入口１４に沿ってセル型フィルタ１３を出し入れする時に、該セル型フィルタ１３を案内するためのガイド１２が設けられている。該ガイド１２に沿ってセル型フィルタ１３を装着し、リークを防止するためにガスケット１５を介してフィルタ押え板１６をはめ込み、ネジ１７で該フィルタ押え板１６をボックス状枠体１１にネジ締めする。これにより、セル型フィルタ１３はボックス状枠体１１内にジグザク状に収納・配置される。
【０００６】
セル型フィルタ１３を交換する際には、作業者は、ネジ１７を外し、大きなフィルタ押え板１６を取り出し、ガスケット１５を外し、その後セル型フィルタ１３の交換、ガスケット１５とフィルタ押え板１６を装着し、ネジ１７で該フィルタ押え板１６をボックス状枠体１１にネジ締めすることにより、作業が終了する。これらの一連の作業を現場で作業者が実施することは作業者に対して大きな負担となっていた。
【０００７】
【発明が解決しようとする課題】
本発明は上述の点に鑑みてなされたもので、セル型フィルタの装着手段が簡単な構成で、しかもセル型フィルタの交換に作業者に大きな負担をかけることなく、容易に交換作業が実施できるエアフィルタを提供することを目的とする。
【０００８】
【課題を解決するための手段】
上記課題を解決するため請求項１に記載の発明は、ボックス状の枠体内に複数個のセル型フィルタをジグザグ状に収納・配置し、該セル型フィルタをフィルタ固定手段で固定した構造のエアフィルタであって、フィルタ固定手段は、枠体にスライド自在に装着されたフィルタ固定部材と、該フィルタ固定部材を枠体内の所定の位置に収納・配置されたセル型フィルタに当接させた状態で該枠体に固定するフィルタ固定部材固定手段を具備することを特徴とする。
【０００９】
上記のようにフィルタ固定手段は、枠体にスライド自在に装着されたフィルタ固定部材と、該フィルタ固定部材を枠体に固定するフィルタ固定部材固定手段を具備するので、該枠体内の所定の位置に収納・配置されたセル型フィルタに該フィルタ固定部材を当接させフィルタ固定部材を固定手段で固定することにより該セル型フィルタを簡単に固定でき、該フィルタ固定部材をセル型フィルタから離脱させることにより該セル型フィルタを簡単に解放できるから、簡単な構成のフィルタ固定手段の操作で、セル型フィルタの枠体内への挿入及び引き出し作業が実施できる。
【００１０】
請求項２に記載の発明は、請求項１に記載のエアフィルタにおいて、フィルタ固定部材固定手段は、ネジを具備し、該ネジを締め付けてフィルタ固定部材を枠体に固定する構成であることを特徴とする。
【００１１】
上記のようにネジの締め付け弛めにより、フィルタ固定部材を固定・解放できるので、セル型フィルタの固定・解放作業が極めて容易となる。
【００１２】
請求項３に記載の発明は、ボックス状の枠体内に複数個のセル型フィルタをジグザグ状に収納・配置し、該セル型フィルタをフィルタ固定手段で固定した構造のエアフィルタであって、フィルタ固定手段は、弾性体からなり枠体に装着され該枠体内の所定の位置に収納・配置されたセル型フィルタに弾性力で当接して該セル型フィルタを固定するフィルタ固定部材と、該フィルタ固定部材を該セル型フィルタから離脱させた状態で所定の位置に保持するフィルタ固定部材保持手段を具備することを特徴とする。
【００１３】
上記のようにフィルタ固定手段は、セル型フィルタを弾性力で固定するフィルタ固定部材と、フィルタ固定部材保持手段を具備するから、該フィルタ固定部材保持手段の保持からフィルタ固定部材を解放することにより、枠体内の所定の位置に収納・配置されたセル型フィルタをフィルタ固定部材の弾性力で固定でき、フィルタ固定部材をセル型フィルタから離脱させフィルタ固定部材保持手段に保持させることにより、セル型フィルタを解放できるから、簡単な構成のフィルタ固定手段の操作で、セル型フィルタの枠体内への挿入及び引き出し作業が実施できる。
【００１４】
請求項４に記載の発明は、請求項３に記載のエアフィルタにおいて、フィルタ固定部材は、磁性体からなるバネ材からなり、フィルタ固定部材保持手段は磁気吸引力でフィルタ固定部材を保持するマグネットキャッチであることを特徴とする。
【００１５】
上記のようにフィルタ固定部材は磁性体からなるバネ材からなり、フィルタ固定部材保持手段はマグネットキャッチであるので、フィルタ固定部材によるセル型フィルタの固定・解放作業が極めて容易となる。
【００１６】
【発明の実施の形態】
以下、本発明の実施の形態例を図面に基づいて説明する。図２は本発明に係るエアフィルタの構成を示す図である。図２において、図１と同一符号を付した部分は同一又は相当部分を示す。図示するように、本エアフィルタはボックス状枠体１１の天井面及び底面の所定位置（図１の空気流入口１４の部分）にフィルタ固定機構２０、２０が設けられている。
【００１７】
フィルタ固定機構２０は図３に示すように、左右両側にフィルタ固定金具２１、２１を具備し、該フィルタ固定金具２１、２１は板材２２で連結されると共に、該板材２２は押え板２３と連結されている。板材２２及び押え板２３はその両端部に所定長さのスリット２４、２４が形成され、該２４、２４はそれぞれネジ２５、２５が挿入され、該ネジ２５、２５を締め付けることにより、フィルタ固定金具２１、２１は板材２２を介してボックス状枠体１１に固定でき、該ネジ２５、２５を弛めることにより、フィルタ固定金具２１、２１は板材２２をスリット２４、２４に沿ってスライドできるようになっている。また、フィルタ固定金具２１、２１は板材２２に先端が狭く後端が広くなるように配置固定されている。
【００１８】
セル型フィルタ１３は、枠内に濾材を収容した構造となっており、一定サイズで製造されている。濾材は例えばイオン交換基を担持させた不織布又は織布状のものをひだ織り（プリーツ加工）し、金属性、樹脂製又は紙製の枠内に収容した構造である。また、それぞれのひだ（プリーツ）の間には濾材同士の間隔を保つ目的でセパレータを挿入することもできる。この場合には、気流は必ず濾材を通過する。セル型フィルタ１３の圧力損失を低減させるために、布状の濾材を気流と平行にする構造も可能である。この場合、枠の中に、セパレータを介して一定間隔で濾材が並んだ構造となる。
【００１９】
気流は濾材と接触することでイオン交換を行い、不純物が濾材に吸着される。イオン交換には、二酸化硫黄等の酸性ガスを吸着するアニオン交換膜、アンモニア等のアルカリ性ガスを吸着するカチオン交換膜がある。その他、濾材としてはハニカム状活性炭、繊維状の活性炭、粒状活性炭を枠内に収容してもよい。
【００２０】
セル型フィルタ１３の装着においては、フィルタ固定機構２０のネジ２５、２５を弛め、フィルタ固定金具２１、２１、板材２２及び押え板２３をスリット２４、２４に沿って手前方向の所定位置（セル型フィルタ１３の解放位置）までスライドさせる。ついでセル型フィルタ１３をボックス状枠体１１内に載せガイド（図示せず）に沿って移動させ、所定の位置に収容配置する。続いて、フィルタ固定金具２１、２１、板材２２及び押え板２３をスリット２４、２４に沿って移動させ、フィルタ固定金具２１をセル型フィルタ１３の側面に当接密着させ、ネジ２５、２５を締め付けて、ボックス状枠体１１に固定する。これにより、セル型フィルタ１３がボックス状枠体１１内に固定装着される。
【００２１】
この状態で、セル型フィルタ１３は濾材がプリーツ加工されているものであれば、プリーツ目が垂直になるようにするのがよい。これにより重力の影響に対して濾材にかかる荷重を最小にすることができる。また、地震等の不意の外力によりセル型フィルタの脱離を防止するために、簡単なストッパ２６を設けることができる。
【００２２】
セル型フィルタ１３の交換時には、ボックス状枠体１１はそのまま使用可能であり、セル型フィルタ１３のみを交換すればよい。交換に際しては、先ずフィルタ固定機構２０のネジ２５、２５を弛め、フィルタ固定金具２１、２１をセル型フィルタ１３の解放位置までスライドさせる。これによりセル型フィルタ１３は自由になる（解放される）。この操作の後、セル型フィルタ１３を取り外して交換作業を行い、新しいセル型フィルタ１３を上記と同じ操作で取り付ける。
【００２３】
なお、上記例ではフィルタ固定機構２０のフィルタ固定部材をフィルタ固定金具２１としたが、フィルタ固定部材は金具に限定されるものではない。また、固定方法として、ネジ２５、２５による固定方法を採用したが、固定方法はネジ締め以外でもよく、例えばバックル等による固定方法も可能である。
【００２４】
図４は本発明に係るエアフィルタの構成を示す図である。図４において、図１と同一符号を付した部分は同一又は相当部分を示す。図示するように、本エアフィルタはボックス状枠体１１の天井面及び底面の所定位置（図１の空気流入口１４の部分）にフィルタ固定機構３０、３０が設けられている。
【００２５】
フィルタ固定機構３０は図５に示すように、山形（Ｖ字状）に折り曲げ形成した磁性材のバネ板からなるフィルタ固定金具３１、３１を具備し、該フィルタ固定金具３１、３１はその折り曲げ頂部をブラケット３２を介してボックス状枠体１１の天井面及び底面に取り付けられている。フィルタ固定金具３１、３１の間のボックス状枠体１１の天井面及び底面には、マグネットキャッチ３３が取り付けられている。また、フィルタ固定金具３１の先端部には該フィルタ固定金具３１を操作するための操作部３１ａが設けられている。フィルタ固定金具３１の中央部は凸状部３１ｂとなっている。フィルタ固定金具３１の操作部３１ａをつまんでマグネットキャッチ３３に当接させると、フィルタ固定金具３１はマグネットキャッチ３３の磁力により吸引保持される。
【００２６】
セル型フィルタ１３は上記と同様枠内に濾材を収容した構造であり、一定サイズで製作されている。セル型フィルタ１３の装着においては、フィルタ固定機構３０のフィルタ固定金具３１、３１がマグネットキャッチ３３に吸着保持されていることを確認する。また、そうでない場合は、操作部３１ａをつまんでマグネットキャッチ３３に当接させ、フィルタ固定金具３１をマグネットキャッチ３３に吸引保持させる。
【００２７】
ついでセル型フィルタ１３をボックス状枠体１１内に載せ、ガイド（図示せず）に沿って移動させる。次にフィルタ固定金具３１をマグネットキャッチ３３から解放することにより、該フィルタ固定金具３１は自身の弾性力によりその中央部の凸状部３１ｂがセル型フィルタ１３の側面に当接し押圧し、該セル型フィルタ１３を上記ガイドに押し当て固定する。以上の操作により、セル型フィルタ１３はボックス状枠体１１内に固定装着される。
【００２８】
また、図６に示すように、フィルタ固定金具３１の先端部に直角方向で且つ外側にストッパ３１ｃを設けることにより、フィルタ固定金具３１でガイドに押し当て固定されて装着されたセル型フィルタ１３に地震等の不意の外力が作用した場合にもセル型フィルタ１３がボックス状枠体１１から飛び出さないようにすることができる。
【００２９】
セル型フィルタ１３の交換においては、ボックス状枠体１１はそのまま使用可能であり、セル型フィルタ１３のみを交換すればよい。このセル型フィルタ１３の交換に際しては、まずフィルタ固定金具３１をセル型フィルタ１３の解放位置、即ちマグネットキャッチ３３に吸引固着させる。これによりセル型フィルタ１３は固定から解放され自由になる。続いてセル型フィルタ１３を取り外し、新しいセル型フィルタ１３を上記の方法で装着する。
【００３０】
上記のように、フィルタ固定機構３０は磁性を有し、且つ弾性を有するバネ材からなるフィルタ固定金具３１と、該フィルタ固定金具３１と３１の間に配置されたマグネットキャッチ３３で構成することにより、ボックス状枠体１１内に収容されたセル型フィルタ１３を該フィルタ固定金具３１の弾性力で固定することができ、セル型フィルタ１３を取り出す時は、フィルタ固定金具３１をマグネットキャッチ３３に吸引固着させることにより、簡単にセル型フィルタ１３を解放し、取り出すことが可能となる。
【００３１】
なお、上記例ではフィルタ固定機構３０をフィルタ固定部材として磁性を有し、且つ弾性を有するバネ材からなるフィルタ固定金具３１とし、フィルタ固定金具３１を吸引固着するマグネットキャッチ３３を具備する構成としたが、フィルタ固定機構３０はこれに限定されるものではなく、弾性体からなりボックス状枠体１１内に収納・配置されたセル型フィルタにその弾性力で当接して該セル型フィルタを固定すると共に、該フィルタ固定部材を該セル型フィルタから離脱した状態で所定の位置に保持するフィルタ固定部材保持部材を具備する構成であればどのような構成でもよい。
【００３２】
【発明の効果】
以上、説明したように各請求項に記載の発明によれば、下記のような優れた効果が得られる。
【００３３】
請求項１に記載の発明によれば、フィルタ固定手段は、枠体にスライド自在に装着されたフィルタ固定部材と、該フィルタ固定部材を枠体に固定するフィルタ固定部材固定手段を具備するので、該枠体内の所定の位置に収納・配置されたセル型フィルタに該フィルタ固定部材を当接させフィルタ固定部材を固定手段で固定することにより該セル型フィルタを簡単に固定でき、該フィルタ固定部材をセル型フィルタから離脱させることにより該セル型フィルタを簡単に解放できるから、簡単な構成のフィルタ固定手段の操作で、セル型フィルタの枠体内への挿入及び引き出し作業が容易に実施できるエアフィルタを提供できる。
【００３４】
請求項２に記載の発明によれば、ネジの締め付け弛めにより、フィルタ固定部材を固定・解放できるので、セル型フィルタの固定・解放作業が更に容易となり、セル型フィルタの枠体内への挿入及び引き出し作業が容易に実施できるエアフィルタを提供できる。
【００３５】
請求項３に記載の発明によれば、フィルタ固定手段は、セル型フィルタを弾性力で固定するフィルタ固定部材と、フィルタ固定部材保持手段を具備するから、該フィルタ固定部材保持手段の保持からフィルタ固定部材を解放することにより、枠体内の所定の位置に収納・配置されたセル型フィルタをフィルタ固定部材の弾性力で固定でき、フィルタ固定部材をセル型フィルタから離脱させフィルタ固定部材保持手段に保持させることにより、セル型フィルタを解放できるから、簡単な構成のフィルタ固定手段の操作で、セル型フィルタの枠体内への挿入及び引き出し作業が実施できるエアフィルタを提供できる。
【００３６】
請求項４に記載の発明によれば、フィルタ固定部材は磁性体からなるバネ材からなり、フィルタ固定部材保持手段はマグネットキャッチであるので、フィルタ固定部材によるセル型フィルタの固定・解放作業が更に容易となり、セル型フィルタの枠体内への挿入及び引き出し作業が容易に実施できるエアフィルタを提供できる。
【図面の簡単な説明】
【図１】従来のエアフィルタの構成例を示す分解斜視図である。
【図２】本発明に係るエアフィルタの構成例を示す斜視図である。
【図３】本発明に係るエアフィルタに用いるフィルタ固定機構の構成例を示す斜視図である。
【図４】本発明に係るエアフィルタの構成例を示す斜視図である。
【図５】本発明に係るエアフィルタに用いるフィルタ固定機構の構成例を示す斜視図である。
【図６】本発明に係るエアフィルタに用いるフィルタ固定機構の構成例を示す斜視図である。
【符号の説明】
１０　　　　　　エアフィルタ
１１　　　　　　ボックス状枠体
１２　　　　　　ガイド
１３　　　　　　セル型フィルタ
１４　　　　　　空気流入口
１５　　　　　　ガスケット
１６　　　　　　フィルタ押え板
１７　　　　　　ネジ
２０　　　　　　フィルタ固定機構
２１　　　　　　フィルタ固定金具
２２　　　　　　板材
２３　　　　　　押え板
２４　　　　　　スリット
２５　　　　　　ネジ
２６　　　　　　ストッパ
３０　　　　　　フィルタ固定機構
３１　　　　　　フィルタ固定金具
３２　　　　　　ブラケット
３３　　　　　　マグネットキャッチ
【図１】
2004089772.tif 000003
【図２】
2004089772.tif 000004
【図３】
2004089772.tif 000005
【図４】
2004089772.tif 000006
【図５】
2004089772.tif 000007
【図６】
2004089772.tif 000008